【事件の表示】
　特願２００１−　　３７９７「インクジェットプリンタ」拒絶査定不服審判事件〔平成１４年　７月２３日出願公開、特開２００２−２０５４１７〕について、次のとおり審決する。
【結　論】
　本件審判の請求は、成り立たない。
【理　由】
１．手続の経緯
　本願は、平成１３年１月１１日の出願であって、平成１７年１２月２７日付け拒絶理由通知に対して、平成１８年２月２３日付けで手続補正がされたが、同年４月２０日付けで拒絶査定され、これに対し、同年５月２５日に拒絶査定不服審判が請求されるとともに、同年６月１日付けで明細書の手続補正がなされたものである。
　これに対し、当審において、平成１８年７月２６日付けで審査官により作成された前置報告書について、平成２０年４月２２日付けで審尋を行ったところ、審判請求人は同年７月３日付けで回答書を提出した。
　
　
　
２．平成１８年６月１日付けの手続補正についての補正却下の決定
［補正却下の決定の結論］
　平成１８年６月１日付けの手続補正（以下「本件補正」という。）を却下する。
　
［理　由］
２−１．本件補正について
（１）本件補正前後の特許請求の範囲
　本件補正は、特許請求の範囲についてするものであり、その補正前後の特許請求の範囲の記載は次のとおりのものである。
　
ア　本件補正前の特許請求の範囲（平成１８年２月２３日付け手続補正後の
　　もの）
「【請求項１】　複数のインクヘッドを有するインクヘッドユニットを記録用紙に沿って移動させつつ、該インクヘッドユニットの各インクヘッドから各々異なる色のインクを選択的に吐出させて該記録用紙に付着させることにより、該記録用紙にカラー画像をプリントするインクジェットプリンタであって、
　前記インクヘッドユニットの全インク吐出ノズルを一括して覆うようにして前記インクヘッドユニットに着脱可能に密着するキャップと、
　前記インク吐出ノズル内に残留しているインクを吸い出すための吸引力を前記インクヘッドユニットに密着した前記キャップの内部空間に発生させるための吸引ポンプとを備え、
　前記キャップの内部空間を、カラーインク用の吸引空間と黒インク用の吸引空間とに区画するとともに、各吸引空間毎に、前記吸引ポンプの吸引部から延びる各々別々の吸引用チューブを接続し、
　前記吸引ポンプは、前記カラーインク用の吸引空間に接続された吸引用チューブによる吸引動作と、前記黒インク用の吸引空間に接続された吸引用チューブによる吸引動作とを別々に行い、
　前記吸引ポンプは、外周部にチューブ圧迫ローラを軸支して回転するロータとこれを包囲する略円筒形状のガイド壁との間に、前記カラーインク用の吸引用チューブおよび前記黒インク用の吸引用チューブを該ロータの回転方向に沿わせて挿通し、該チューブ圧迫ローラと該ガイド壁間で前記カラーインク用の吸引用チューブおよび前記黒インク用の吸引用チューブを圧迫しながら該ロータを回転させることにより両チューブによる吸引動作を実現するチューブポンプであって、
　前記ロータは、回転軸方向に沿って移動可能に構成され、
　前記ロータの前記回転軸方向への移動により、前記チューブ圧迫ローラも該回転軸方向に移動することで、前記カラーインク用の吸引用チューブのみを圧迫する第１の位置と、前記黒インク用の吸引用チューブのみを圧迫する第２の位置とに選択的に移動可能であることを特徴とするインクジェットプリンタ。
　【請求項２】　複数のインクヘッドを有するインクヘッドユニットを記録用紙に沿って移動させつつ、該インクヘッドユニットの各インクヘッドから各々異なる色のインクを選択的に吐出させて該記録用紙に付着させることにより、該記録用紙にカラー画像をプリントするインクジェットプリンタであって、
　前記インクヘッドユニットの全インク吐出ノズルを一括して覆うようにして前記インクヘッドユニットに着脱可能に密着するキャップと、
　前記インク吐出ノズル内に残留しているインクを吸い出すための吸引力を前記インクヘッドユニットに密着した前記キャップの内部空間に発生させるための吸引ポンプとを備え、
　前記キャップの内部空間を、カラーインク用の吸引空間と黒インク用の吸引空間とに区画するとともに、各吸引空間毎に、前記吸引ポンプの吸引部から延びる各々別々の吸引用チューブを接続し、
　前記吸引ポンプは、前記カラーインク用の吸引空間に接続された吸引用チューブによる吸引動作と、前記黒インク用の吸引空間に接続された吸引用チューブによる吸引動作とを別々に行い、
　前記吸引ポンプは、外周部にチューブ圧迫ローラを軸支して回転するロータとこれを包囲する略円筒形状のガイド壁との間に、前記カラーインク用の吸引用チューブおよび前記黒インク用の吸引用チューブを該ロータの回転方向に沿わせて挿通し、該チューブ圧迫ローラと該ガイド壁間で前記カラーインク用の吸引用チューブおよび前記黒インク用の吸引用チューブを圧迫しながら該ロータを回転させることにより両チューブによる吸引動作を実現するチューブポンプであって、
　前記チューブ圧迫ローラは、前記ロータの回転軸方向に沿って移動可能に構成され、
　前記チューブ圧迫ローラには、吸引用チューブを圧接する圧接領域と、一方の吸引用チューブが該圧接領域にて圧接されている状態の時にもう一方の吸引用チューブを圧接しない非圧接領域とが、前記ロータの前記回転軸方向に沿って形成されており、
　前記チューブ圧迫ローラは、前記非圧接領域を前記圧接領域よりも縮径して形成していることを特徴とするインクジェットプリンタ。
　【請求項３】　前記ロータは、前記回転軸方向に沿って移動可能なポンプ軸に固定されており、
　前記ポンプ軸に回転駆動力を与える駆動源は、正逆転駆動可能なモータであり、
　前記モータの回転駆動力を前記ポンプ軸に伝達する伝達機構は、該モータの駆動軸に固定されたヘリカルギアと該ポンプ軸に固定されたヘリカルギアとを互いに噛合させてなり、該モータの回転駆動力を該ポンプ軸に伝達するとともに、該ポンプ軸を前記回転軸方向に移動させて前記チューブ圧迫ローラを前記第１の位置と前記第２の位置とに移動させる機構としても働くことを特徴とする請求項１に記載のインクジェットプリンタ。
　【請求項４】  前記黒インク用の吸引用チューブと前記カラーインク用の吸引用チューブの少なくとも一方を、プリンタの非使用時に、前記キャップから廃インク貯留部へ至る経路の途中で圧迫して閉塞するチューブ押さえ機構を有することを特徴とする請求項１から３のいずれか１項に記載のインクジェットプリンタ。
　【請求項５】　前記チューブ圧迫ローラには、吸引用チューブを圧接する圧接領域と、一方の吸引用チューブが該圧接領域にて圧接されている状態の時にもう一方の吸引用チューブを圧接しない非圧接領域とが、前記ロータの前記回転軸方向に沿って形成されており、
　前記チューブ圧迫ローラは、前記非圧接領域を前記圧接領域よりも縮径して形成していることを特徴とする請求項１に記載のインクジェットプリンタ。
　【請求項６】  前記チューブ圧迫ローラを複数備え、２つ以上のチューブ圧迫ローラが同時に１本の吸引用チューブに圧接するように構成したことを特徴とする請求項２又は３に記載のインクジェットプリンタ。
　【請求項７】  前記チューブ圧迫ローラを３つ備え、これらが前記ロータの回転方向に等間隔に保持されていることを特徴とする請求項６記載のインクジェットプリンタ。
　【請求項８】  黒インクの吸引時間を、カラーインクの吸引時間よりも長くするようにしたことを特徴とする請求項１から３のいずれか１項に記載のインクジェットプリンタ。」
　
イ　本件補正後の特許請求の範囲
「【請求項１】　複数のインクヘッドを有するインクヘッドユニットを記録用紙に沿って移動させつつ、該インクヘッドユニットの各インクヘッドから各々異なる色のインクを選択的に吐出させて該記録用紙に付着させることにより、該記録用紙にカラー画像をプリントするインクジェットプリンタであって、
　前記インクヘッドユニットの全インク吐出ノズルを一括して覆うようにして前記インクヘッドユニットに着脱可能に密着するキャップと、
　前記インク吐出ノズル内に残留しているインクを吸い出すための吸引力を前記インクヘッドユニットに密着した前記キャップの内部空間に発生させるための吸引ポンプとを備え、
　前記キャップの内部空間を、カラーインク用の吸引空間と黒インク用の吸引空間とに区画するとともに、各吸引空間毎に、前記吸引ポンプの吸引部から延びる各々別々の吸引用チューブを接続し、
　前記吸引ポンプは、前記カラーインク用の吸引空間に接続された吸引用チューブによる吸引動作と、前記黒インク用の吸引空間に接続された吸引用チューブによる吸引動作とを別々に行い、
　前記吸引ポンプは、外周部にチューブ圧迫ローラを軸支して回転するロータとこれを包囲する略円筒形状のガイド壁との間に、前記カラーインク用の吸引用チューブおよび前記黒インク用の吸引用チューブを該ロータの回転方向に沿わせて挿通し、該チューブ圧迫ローラと該ガイド壁間で前記カラーインク用の吸引用チューブおよび前記黒インク用の吸引用チューブを圧迫しながら該ロータを回転させることにより両チューブによる吸引動作を実現するチューブポンプであって、
　前記ロータは、回転軸方向に沿って移動可能に構成され、
　前記ロータの前記回転軸方向への移動により、前記チューブ圧迫ローラも前記ロータの前記回転軸方向に沿って移動可能に構成され、
　前記チューブ圧迫ローラには、吸引用チューブを圧接する圧接領域と、一方の吸引用チューブが該圧接領域にて圧接されている状態の時にもう一方の吸引用チューブを圧接しない非圧接領域とが、前記ロータの前記回転軸方向に沿って形成されており、
　前記チューブ圧迫ローラは、前記非圧接領域を前記圧接領域よりも縮径して形成していることを特徴とするインクジェットプリンタ。
　【請求項２】　複数のインクヘッドを有するインクヘッドユニットを記録用紙に沿って移動させつつ、該インクヘッドユニットの各インクヘッドから各々異なる色のインクを選択的に吐出させて該記録用紙に付着させることにより、該記録用紙にカラー画像をプリントするインクジェットプリンタであって、
　前記インクヘッドユニットの全インク吐出ノズルを一括して覆うようにして前記インクヘッドユニットに着脱可能に密着するキャップと、
　前記インク吐出ノズル内に残留しているインクを吸い出すための吸引力を前記インクヘッドユニットに密着した前記キャップの内部空間に発生させるための吸引ポンプとを備え、
　前記キャップの内部空間を、カラーインク用の吸引空間と黒インク用の吸引空間とに区画するとともに、各吸引空間毎に、前記吸引ポンプの吸引部から延びる各々別々の吸引用チューブを接続し、
　前記吸引ポンプは、前記カラーインク用の吸引空間に接続された吸引用チューブによる吸引動作と、前記黒インク用の吸引空間に接続された吸引用チューブによる吸引動作とを別々に行い、
　前記吸引ポンプは、外周部にチューブ圧迫ローラを軸支して回転するロータとこれを包囲する略円筒形状のガイド壁との間に、前記カラーインク用の吸引用チューブおよび前記黒インク用の吸引用チューブを該ロータの回転方向に沿わせて挿通し、該チューブ圧迫ローラと該ガイド壁間で前記カラーインク用の吸引用チューブおよび前記黒インク用の吸引用チューブを圧迫しながら該ロータを回転させることにより両チューブによる吸引動作を実現するチューブポンプであって、
　前記ロータは、回転軸方向に沿って移動可能に構成され、
　前記ロータの前記回転軸方向への移動により、前記チューブ圧迫ローラも該回転軸方向に移動することで、前記カラーインク用の吸引用チューブのみを圧迫する第１の位置と、前記黒インク用の吸引用チューブのみを圧迫する第２の位置とに選択的に移動可能であり、
　前記チューブ圧迫ローラには、吸引用チューブを圧接する圧接領域と、一方の吸引用チューブが該圧接領域にて圧接されている状態の時にもう一方の吸引用チューブを圧接しない非圧接領域とが、前記ロータの前記回転軸方向に沿って形成されており、
　前記チューブ圧迫ローラは、前記非圧接領域を前記圧接領域よりも縮径して形成していることを特徴とするインクジェットプリンタ。
　【請求項３】　前記ロータは、前記回転軸方向に沿って移動可能なポンプ軸に固定されており、
　前記ポンプ軸に回転駆動力を与える駆動源は、正逆転駆動可能なモータであり、
　前記モータの回転駆動力を前記ポンプ軸に伝達する伝達機構は、該モータの駆動軸に固定されたヘリカルギアと該ポンプ軸に固定されたヘリカルギアとを互いに噛合させてなり、該モータの回転駆動力を該ポンプ軸に伝達するとともに、該ポンプ軸を前記回転軸方向に移動させて前記チューブ圧迫ローラを前記第１の位置と前記第２の位置とに移動させる機構としても働くことを特徴とする請求項２に記載のインクジェットプリンタ。
　【請求項４】　前記黒インク用の吸引用チューブと前記カラーインク用の吸引用チューブの少なくとも一方を、プリンタの非使用時に、前記キャップから廃インク貯留部へ至る経路の途中で圧迫して閉塞するチューブ押さえ機構を有することを特徴とする請求項１から３のいずれか１項に記載のインクジェットプリンタ。
　【請求項５】　前記チューブ圧迫ローラを複数備え、２つ以上のチューブ圧迫ローラが同時に１本の吸引用チューブに圧接するように構成したことを特徴とする請求項１又は２に記載のインクジェットプリンタ。
　【請求項６】　前記チューブ圧迫ローラを３つ備え、これらが前記ロータの回転方向に等間隔に保持されていることを特徴とする請求項５記載のインクジェットプリンタ。
　【請求項７】　黒インクの吸引時間を、カラーインクの吸引時間よりも長くするようにしたことを特徴とする請求項１から３のいずれか１項に記載のインクジェットプリンタ。」
　
　
（２）補正内容
　上記（１）の補正は、次のアないしクの補正内容からなるものである。（以下、「本件補正前の請求項」を「旧請求項」といい、「本件補正後の請求項」を「新請求項」という。）
ア　旧請求項１を削除する。
イ　旧請求項２に係る発明を特定するために必要な事項である「ロータ」に
　　ついて「前記ロータは、回転軸方向に移動可能に沿って構成され」ると
　　の限定を付すとともに、「前記チューブ圧迫ローラは、前記ロータの回
　　転軸方向に沿って移動可能に構成され」について、「前記ロータの前記
　　回転軸方向への移動により、」との限定を付して「前記チューブ圧迫ロ
　　ーラも前記ロータの前記回転軸方向に沿って移動可能に構成され」とし
　　た上で、請求項の番号を繰り上げて新請求項１とする。
ウ　旧請求項１を引用する旧請求項５を、上記アの請求項の削除に伴って、
　　独立形式で記載した上で、新請求項２とする。
エ　旧請求項３において引用していた旧「請求項１」を、上記ウの補正内容
　　に伴って新「請求項２」とする。
オ　旧請求項４において引用していた旧「請求項１から３のいずれか１項」
　　を、新「請求項１から３のいずれか１項」とする。
カ　旧請求項６において、択一的に引用していた旧請求項２及び旧請求項３
　　を、それぞれ、新請求項１及び新請求項２とした上で、請求項の番号を
　　繰り上げて新請求項５とする。
キ　旧請求項７において、引用していた旧「請求項６」を新「請求項５」と
　　した上で、請求項の番号を繰り上げて新請求項６とする。
ク　旧請求項８において、引用していた旧「請求項１から３のいずれか１項
　　」を新「請求項１から３のいずれか１項」とした上で、請求項の番号を
　　繰り上げて新請求項７とする。
　
　
２−２．補正目的について
　上記「２−１．（２）」の補正内容アないしクについて検討する。
（１）補正内容ア及びウについて
　補正内容ア及びウは、平成１４年法律第２４号改正附則第２条第１項によりなお従前の例によるとされる同法による改正前の特許法第１７条の２第４項第１号に掲げられた「請求項の削除」を目的とするものである。
　
（２）補正内容カ及びキについて
ア　補正内容カについて
（ア）新請求項１は、旧請求項２に係る発明を特定するために必要な事項を限定したものであるから、新請求項１を引用する新請求項５は、旧請求項２を引用する旧請求項６に係る発明を特定するために必要な事項を限定したものである。
（イ）旧請求項３は旧請求項１を引用するものであり、旧請求項１に係る発明を特定するために必要な事項である「ロータ」について「前記ロータは、前記回転軸方向に沿って移動可能なポンプ軸に固定されており、前記ポンプ軸に回転駆動力を与える駆動源は、正逆転駆動可能なモータであり、前記モータの回転駆動力を前記ポンプ軸に伝達する伝達機構は、該モータの駆動軸に固定されたヘリカルギアと該ポンプ軸に固定されたヘリカルギアとを互いに噛合させてなり、該モータの回転駆動力を該ポンプ軸に伝達するとともに、該ポンプ軸を前記回転軸方向に移動させて前記チューブ圧迫ローラを前記第１の位置と前記第２の位置とに移動させる機構としても働く」との限定（以下「限定事項Ａ」という。）を付したものである。
　一方、新請求項２は、旧請求項１を引用する旧請求項５を独立形式で記載したものであり、旧請求項１に係る発明を特定するために必要な事項である「チューブ圧迫ローラ」について「前記チューブ圧迫ローラには、吸引用チューブを圧接する圧接領域と、一方の吸引用チューブが該圧接領域にて圧接されている状態の時にもう一方の吸引用チューブを圧接しない非圧接領域とが、前記ロータの前記回転軸方向に沿って形成されており、前記チューブ圧迫ローラは、前記非圧接領域を前記圧接領域よりも縮径して形成している」との限定（以下「限定事項Ｂ」という。）を付したものである。
　してみると、新請求項２を引用する新請求項５は、旧請求項３を引用する旧請求項６から限定事項Ａを省くとともに、限定事項Ｂを付加するものである。
　したがって、補正内容カのうち、旧請求項６において択一的に引用していた旧請求項３を、新請求項５において択一的に引用する新請求項２とする補正内容は、平成１４年法律第２４号改正附則第２条第１項によりなお従前の例によるとされる同法による改正前の特許法第１７条の２第４項第２号に掲げられた「特許請求の範囲の減縮」を目的とするものではなく、かつ、同項第１号に掲げられた「請求項の削除」、同項第３号に掲げられた「誤記の訂正」、及び同項第４号に掲げられた「明りようでない記載の釈明」のいずれの事項を目的とするものでもない。
イ　補正内容キについて
　補正内容キは、補正内容カにより補正された新請求項５を引用するように補正するものであるから、補正内容カと同様の補正をするものである。
ウ　まとめ
　上記のとおりであるから、補正内容カ及びキは、平成１４年法律第２４号改正附則第２条第１項によりなお従前の例によるとされる同法による改正前の特許法第１７条の２第４項各号に掲げられたいずれの事項をも目的とするものではない。
　
（３）補正内容イ，エ，オ及びクについて
ア　補正内容イについて
　補正内容イは旧請求項２に係る発明を特定するために必要な事項を限定するものである。
イ　補正内容エについて
　新請求項３が引用する旧請求項２は、旧請求項３が引用する旧請求項１の発明を特定するために必要な事項を、旧請求項５に記載された事項により限定したものである。よって、補正内容エは、旧請求項３に係る発明を特定するために必要な事項を限定するものである。
ウ　補正内容オ及びクについて
　補正内容オ及びクは、いずれも引用する請求項を、旧「請求項１から３のいずれか１項」から新「請求項１から３のいずれか１項」とするものであるところ、新請求項１，２及び３は、それぞれ、旧請求項２，１，３を限定するものである。よって、補正内容オ及びクは、それぞれ、旧請求項４及び旧請求項８に係る発明を特定するために必要な事項を限定するものである。
エ　まとめ
　したがって、補正内容イ、エ、オ及びクは、平成１４年法律第２４号改正附則第２条第１項によりなお従前の例によるとされる同法による改正前の特許法第１７条の２第４項第２号に掲げられた「特許請求の範囲の減縮」を目的とするものである。
　
　そこで、補正内容イに係る新請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
　
２−３．独立特許要件について
２−３−１．本願補正発明
　本願補正発明は、上記「２−１．（１）イ」において、本件補正後の特許請求の範囲の請求項１として記載したとおりのものである。
　
　
２−３−２．引用文献
（１）引用文献１
　原査定の拒絶の理由に引用され、本願出願前に頒布された刊行物である特開平７−１５６４１９号公報（以下「引用文献１」という。）には、図示とともに以下の事項が記載されているものと認められる。
　
ア「【請求項６】　ノズル開口を有する第１、第２のインクジェット式記録ヘッドを搭載したキャリッジと、
第１、及び第２の記録ヘッドのノズル開口を封止するとともに、吸引手段に接続する吸引口を有する第１、第２のキャップ部材とを備え、
前記吸引手段は、同一の回転駆動源に接続されて回転駆動源の回転方向により選択駆動される第１、第２のチューブポンプとして構成されたインクジェット式記録装置。」
　
イ「【０００２】　【従来の技術】圧力発生室で加圧したインクをノズルからインク滴として記録用紙に吐出させて印刷デ−タを記録するオンデマンド型インクジェット式記録装置は、ノズル開口からのインク溶剤の蒸発による粘度の上昇や、インクの乾燥、塵埃の付着、さらには気泡の混入などにより印刷不良を生じるという問題を抱いている。・・・（後略）
【０００３】　（前略）・・・このようなカラー印刷を可能ならしめるインクジェット式プリンタは、色彩間でのインクの消費量、記録密度の相違、さらには休止時の混色の防止を考慮して、黒色印刷用の記録ヘッドと、カラー印刷用のヘッドとの２つの記録ヘッドがキャリッジに搭載して構成されている。このため、複数のインクジェット式記録ヘッドのそれぞれに対応してキャッピング装置が必要となるとともに、各キャッピング装置を記録ヘッドに当接、離間させるための駆動機構が必要となって、プリンタ全体の構造が複雑化するという問題を抱えている。
【０００４】　【発明が解決しようとする課題】本発明は、このような問題に鑑みてなされたものであって、その目的とするところは、複数のキャップ部材の記録ヘッドヘの接離動作を簡単な機構で実現できる新規なインクジェット式記録装置を提供することである。
【０００５】　【課題を解決するための手段】このような問題を解消するために本発明においては、ノズル開口を下方に向けた第１、第２のインクジェット式記録ヘッドを２つ搭載したキャリッジと、第１、及び第２の記録ヘッドのノズル開口を封止する第１、第２のキャップ部材が配置されたスライダとを備え、前記スライダは、長手方向中央部をキャリッジの移動方向に直交する回動軸により回動可能で、かつキャリッジの移動方向に移動可能で、さらに前記移動に伴って前記記録ヘッドに対向方向にも移動する支持部材により支持するようにした。」
　
ウ「【０００７】　【実施例】そこで以下に本発明の詳細を図示した実施例に基づいて説明する。図１は、本発明のキャッピング装置が適用されるインクジェット式記録装置の印刷機構周辺の概要を示すものであって、図中符号１はキャリッジで、ガイド部材２に支持されるとともに、タイミングベルト３を介してパルスモータ２３に接続されていて、プラテン５に平行に往復動可能に構成されている。
【０００８】キャリッジ１には記録用紙６にノズル開口を向けるようにして黒色印刷用の第１の記録ヘッド７と、カラー印刷用の第２の記録ヘッド８（図４）が搭載され、これら各記録ヘッド７、８の上部には黒色インクカートリッジ９と、カラーインクカートリッジ１０が着脱自在に搭載されている。このような構成によりフレキシブルケーブル１１を介して図示しないヘッド駆動回路からの駆動信号を受けると、インクカートリッジ９、１０からインクが記録ヘッド７、８に流入して記録用紙６に黒色、及び有色のドットを形成することができる。
【０００９】（前略）・・・図中符号１２は、キャリッジ１の移動経路の印刷領域外に配置された前述のキャッピング装置で、キャリッジ１の移動に連動して２つの記録ヘッド７、８のノズル開口面を覆うキャッピング位置と、ノズル開口面から離れる非キャッピング位置との２位置を占めるスライダ３０に、弾性材料によりカップ状に形成された第１のキャップ部材３１、第２のキャップ部材３２が設けられている。・・・（後略）
【００１０】第１、第２のキャップ部材３１、３２は、その吸引口３１ａ、３２ａをそれぞれポンプ３７、３８の一部を構成するチューブ３３、３４の一端に接続されていて、後述する第１、第２のチューブポンプ３７、３８からの吸引力を受けるようになっている。第１、第２のチューブポンプ３７、３８は、輪列４０を介して紙送り兼ポンプモータ２４に選択的に、つまりモータ２４の逆転時には第１のチューブポンプ３７だけが吸引動作を、また正転時には第２のチューブポンプ３８だけが吸引動作を行うようになっている。
【００１１】図３、４は、それぞれ上述したキャッピングユニットの一実施例を示すものであって、図中符号３０はスライダで、キャリッジ１に搭載された２つの記録ヘッド７、８の間隔に一致させて第１、第２のキャップ部材３１、３２が、軸３１ｃ、３２ｃにより揺動可能に設けられている。・・・（後略）
【００１２】ガイド部材４７には、スライダ３０の抜けを防止する凸部４７ａと、常時は、スライダ３０｛審決注：「スライダ１」は「スライダ３０」の明らかな誤記であるので、訂正して摘記した。｝を記録ヘッド７、８の下端と一定の間隔を形成する位置に、またキャッピング時にはキャップ部材３１、３２を記録ヘッド７、８に弾接する位置とを結ぶ斜面４７ｂが形成されている。
【００１３】一方、スライダ３０の下部には、その中央にキャリッジ１の移動方向に直交する軸５０が設けられ、この軸５０の両側を、下端が長溝５２ａを介して基台５３の軸５４に揺動可能に取り付けられたレバー５２に遊嵌されている。そしてスライダ３０は、下端が基台５３に固定されて印刷領域側に傾斜するとともに非印刷領域側に座屈ぎみのコイルバネ５６の上端が取り付けられている。
【００１４】これにより非キャッピング時には、スライダ３０は、一端をガイド部材４７の斜面４７ｂの最下端に、また中央部をレバー５２に規制されながらコイルバネ５６により印字領域側に付勢されて、記録ヘッド７、８が各キャップ部材３１、３２に接しない程度の間隔ｇを形成できる高さに、水平に位置することになる。」
　
エ「【００１６】図５、６、７は、前述のポンプユニット１３の一実施例を示すものであって、一方のポンプ３７の駆動輪７２が輪列７０を介して紙送り兼ポンプモータ２４に接続可能に構成されている。各キャップ部材３１、３２と廃インクタンク１４とを接続しているポンプチュ−ブ３３、３４は、その外側をほぼ円形状となるようにカバーケース７３、７４により覆われ、それぞれ接続部材７６を介して連結されている回転軸７７、７８の両端に固定された駆動輪列７２、８１、８２、８３の後述する長溝に移動自在に遊嵌された２つのローラ８５、８５、８６、８６により弾圧されるようになっている。
【００１７】図８（イ）、（ロ）は、それぞれこれらローラ８５、８５、８６、８６を支持している駆動輪に形成された前述の案内溝９０、９０の一実施例を示すもので、この中心からの距離が徐々に変化する長溝として形成されており、紙送り兼ポンプモータ２４が逆転（符号Ａ）したときにはローラ８５の軸８５ａが長溝９０、９０に沿って外周側に移動する。これによりローラ８５、８５がチュ−ブ３３を圧接しながら回動して吸引力を発生することになり、またモータ２４が正転（符号Ｂ）したときには軸８５ａが中心方向に移動してローラ８５、８５がチューブ３３から離れてポンプ作用を失うことになる。
【００１８】第２のチューブポンプ３８は、第１のチューブポンプ３７とは逆に動作するように構成されている。すなわちモータ２４が逆転したときにはローラ８６が中心方向に移動してポンプ作用を失い、またモータ２４が正転するとローラ８６、８６が外周側に移動してチューブ３４を弾圧しながら回動して吸引力を発生するようになっている。」
　
オ「【００２２】この結果、スライダ３０は、軸５０を回動支点として後部が持ち上がり、軸５０より後部（印刷領域側）に位置する第２のキャップ部材３２が第２の記録ヘッド８に最初に当接する。このとき、キャップ部材３２は、スライダ３０に或程度揺動可能に取り付けられ、またスライダ３０もレバー５２を介して基台５３に揺動可能であるため、第２の記録ヘッド８にガイドされながら上昇して第２の記録ヘッド８を封止できる位置でこれに当接する（図１０）。
【００２３】（前略）・・・いうまでもなく、スライダ３０が基台５３に対して揺動するとともに、第１、及び第２のキャップ部材３１、３２は、スライダ３０に対して或程度揺動でき、しかも自身が弾性部材で構成されているため、各記録ヘッド７、８の縁に案内されるようにして記録ヘッド７、８に填まり込む（図１１）。
【００２４】（前略）・・・この状態では、コイルバネ５６が大きく座屈するため、スライダ３０は、コイルバネ５６の弾性力で上部に持ち上げられ、したがって各キャップ部材３１、３２は、記録ヘッド７、８に弾接してこれを確実に密封することになる。（図１２）
【００２５】このようにキャップ部材３１、３２が記録ヘッド７、８に弾接している状態では、レバー１０２により紙送り兼ポンプモータ２４がチューブポンプ３７の駆動輪７２に接続されているので、モータ２４を逆転させると、第１のチューブポンプ３７、及び接続機構７６を介して接続された第２のチューブポンプ３８が回転する。第１のチューブポンプ３７は、駆動輪７２の図中矢印Ｆ方向の回転によりローラ８５が長溝９０にガイドされて外周方向に移動してチューブ３３に弾接して吸引動作を始める（図１３（イ））。
【００２６】（前略）・・・これにより、第１のキャップ部材３１だけが吸引力を受けて第１の記録ヘッド７からインクを吸引する。・・・（後略）
【００２７】このようにして第１の記録ヘッド７からのインクの吸引が終了した段階で・・・（中略）・・・これにより第２のキャップ部材３２が第２の記録ヘッド８｛審決注．「記録ヘッド７」は「第２の記録ヘッド８」の明らかな誤記であるので、訂正して摘記した。｝からインクを吸い出すことになる。・・・（後略）」
　
カ「【００３０】（前略）・・・他方、さらに引き続いて印刷を実行する場合には、キャリッジ１を図１２の符号Ｋの方向に移動させると、第１、第２のキャップ部材３１、３２が記録ヘッド７、８に嵌合しているため、スライダー３０がキャリッジ１の移動に追従して図中符号の方向に移動する。このようにしてスライダの突起４６がガイド部材４７の斜面４７ｂ最下部に到達すると（図９）、スライダ３０がコイルバネ５６により付勢されて下方に降下し、水平状態となる。これにより記録ヘッド７、８とスライダ３０との間に間隙ｇが生じ、キャリッジが自由に主走査方向に移動可能となるから、記録ヘッドは、そのまま印刷領域に移動して印刷データに基づいて印刷動作を実行することになる。・・・（後略）」
　
キ　図６ないし８から、「チューブ３３」及び「チューブ３４」は「駆動輪列７２、８１、８２、８３」の回転方向に沿って配置されていることが見て取れる。
　
ク　上記アないしキからみて、引用文献１には次の発明（以下「引用発明１」という。）が記載されているものと認められる。
「ノズル開口を下方に向けた第１、第２のインクジェット式記録ヘッド７、８を２つ搭載した主走査方向に移動可能なキャリッジ１と、第１、及び第２の記録ヘッドのノズル開口を封止する第１、第２のキャップ部材３１、３２が配置されたスライダ３０とを備え、インクをノズルからインク滴として記録用紙６に吐出させて印刷データを記録するオンデマンド型インクジェット式記録装置であって、
　前記キャリッジ１には記録用紙６にノズル開口を向けるようにして黒色印刷用の第１の記録ヘッド７と、カラー印刷用の第２の記録ヘッド８が搭載され、これら各記録ヘッド７、８の上部には黒色インクカートリッジ９と、カラーインクカートリッジ１０が着脱自在に搭載され、このような構成によりフレキシブルケーブル１１を介してヘッド駆動回路からの駆動信号を受けると、インクカートリッジ９、１０からインクが記録ヘッド７、８に流入して記録用紙６に黒色、及び有色のドットを形成するインクジェット式記録装置において、
　前記第１、第２のキャップ部材３１、３２は、その吸引口３１ａ、３２ａをそれぞれポンプ３７、３８の一部を構成するチューブ３３、３４の一端に接続されていて、後述する第１、第２のチューブポンプ３７、３８からの吸引力を受けるようになっており、
　前記第１、第２のチューブポンプ３７、３８は、輪列４０を介して紙送り兼ポンプモータ２４に選択的に、つまりモータ２４の逆転時には第１のチューブポンプ３７だけが吸引動作を、また正転時には第２のチューブポンプ３８だけが吸引動作を行うようになっており、
　前記スライダ３０は、常時は、記録ヘッド７、８の下端と一定の間隔を形成する位置に、またキャッピング時にはキャップ部材３１、３２を記録ヘッド７、８に弾接する位置にあり、非キャッピング時には、記録ヘッド７、８が各キャップ部材３１、３２に接しない程度の間隔ｇを形成できる高さに、水平に位置するものであり、前記キャップ部材３１、３２は、記録ヘッド７、８に弾接してこれを確実に密封するものであり、
　各キャップ部材３１、３２と廃インクタンク１４とを接続している前記ポンプチュ−ブ３３、３４は、その外側をほぼ円形状となるようにカバーケ−ス７３、７４により覆われ、それぞれ接続部材７６を介して連結されている回転軸７７、７８の両端に固定された駆動輪列７２、８１、８２、８３の長溝に移動自在に遊嵌された２つのローラ８５、８５、８６、８６により弾圧されるように前記駆動輪列７２、８１、８２、８３の回転方向に沿って配置され、紙送り兼ポンプモータ２４が逆転したときには前記ローラ８５、８５の軸８５ａが長孔９０、９０に沿って外周側に移動し、これによりローラ８５、８５がチューブ３３を圧接しながら回動して吸引力を発生し、前記モータ２４が正転すると前記ローラ８６、８６が外周側に移動して前記チューブ３４を弾圧しながら回動して吸引力を発生し、第１のキャップ部材３１が第１の記録ヘッド７からインクを吸引し、第２のキャップ部材３２が第２の記録ヘッド８からインクを吸い出すようになっている、インクジェット式記録装置。」
　
　
（２）引用文献２
　原査定の拒絶の理由に引用され、本願出願前に頒布された刊行物である特開平６−１９１０６１号公報（以下「引用文献２」という。）には、図示とともに以下に示す記載がある。
　
ア「【請求項１】異なるインクを吐出可能な複数の吐出口群を備えた記録ヘッドを用いて記録媒体に対してインクを吐出して記録を行うインクジェット記録装置であって、
前記記録ヘッドの吐出口群形成面に対する当接または離脱が可能であり、前記記録ヘッドの吐出口から排出されたインクを受けることができるインク受け手段を備え、
前記インク受け手段は、前記記録ヘッドの吐出口群形成面に当接した状態で互いに区画された複数の空間部を形成するための複数のインク受け部を備え、隣接する前記インク受け部は、前記記録ヘッドの吐出口群形成面に当接可能な単一の区画手段により区画されていることを特徴とするインクジェット記録装置。」
　
イ「【０００４】このため、インクジェット記録装置は、不吐出や吐出方向の偏向を未然に防止して吐出口からのインクの吐出状態を維持し安定させるために、いわゆる吐出回復系としての種々の構成を備える。」
　
ウ「【０００８】特にカラー化のためにイエロー、マゼンタ、シアン、黒の４色のインクを使用するインクジェット記録装置においては、各インク毎に独立したヘッドを有し、従来はそれぞれに対してキャップやチューブポンプが構成されており、非常に大がかりなものであった。
【０００９】しかしながら、このようにヘッド毎に独立したキャップを設けることにすると、各キャップと各ヘッドの位置関係に精度上のばらつきが生じるため、各キャップと各ヘッドを当接させたときに密着性が優れないという問題があった。
【００１０】また、ヘッドの形態として、同一ヘッド内に複数、例えば、イエロー、マゼンタ、シアン、黒の吐出口群を成形したヘッドが考えられる。このようなヘッドによれば、各色吐出口群間の位置合わせ（レジストレ−ション調整）が不要となり、ノズルピッチの精度も高いため、高品位な記録を行うことができる。
【００１１】しかしながら、このようなヘッドは上述の利点を有する一方、製造上の制約から、各色吐出口群間の距離を大きくすることができない。各色吐出口群間の距離はたとえば１ｍｍと極めて小さいものである。また、仮に各色吐出口群間の距離を大きくすると、吐出口群形成面の長さが長くなり、この結果、紙等の記録媒体と吐出口群形成面との間のギャップを所定の長さに保つことが困難となる。この理由からも各色吐出口群間の距離を大きくすることは適当ではない。
【００１２】このようなヘッドにおいて、ヘッド毎に独立したキャップを対応させて密着させようとしても各色吐出口群間の距離が短いため、各色吐出口群間に２つのキャップの外壁を同時に密着させることは困難であり、十分なインク吸引動作を行うことができない。
【００１３】そこで、キャップ及びその他の吐出回復のための構成を共通化することが考えられるが、このような共通化に伴い次のような問題が生じる。すなわち、《１》｛審決注：《１》は丸付き数字の「１」。以下、丸付き数字は《》で表す。｝各色のインクタンク交換時にインクタンクとヘッド間に混入した泡を取り除くため、ならびにインクタンクからヘッドまでインクを導くためにインクの吸引動作を行うが、その際、他のインク交換を行わない吐出口からも同時にインクを吸引することになるため、廃インク量が増大し、インクの無駄が多いばかりか、廃インクタンクも大型のものが必要となる。特に、小型の装置においては大型のインクタンクを装備できないためにインクの使用効率を高めることは非常に重要な課題である。
《２》インクの吸引に伴い、吐出口から排出されてヘッドの吐出口周辺に付着したインクが拡散し、黒色等の濃度の高い色のインクとイエロ−等の濃度の低いインクとが混ざりあい、混ざりあったインクがたとえば濃度の低いイエロ−インクを吐出する吐出口内に混入し、その後の実際の記録時に混色インクが吐出され、色の淡いイエロ−インクを吐出すべきであるにもかかわらず黒ずんだインクを吐出してしまう場合がある。 本発明は上述の問題に鑑みてなされたものであり、その目的とするところは、記録ヘッドのインク吐出口からのインクの吐出状態を維持するためにインク排出操作を行う装置の小型化を実現することにある。
【００１４】また、本発明の他の目的は、前記インク排出操作に際し、インクの無駄をなくし、吐出口におけるインクの混色を防止することにある。」
　
エ「【００２８】記録ヘッド１００のインク吐出口群１１０は図２において示すように上方から、イエローインク吐出口群１１０Ｙ、マゼンタインク吐出口群１１０Ｍ、シアンインク吐出口群１１０Ｃ、黒インク吐出口群１１０Ｋの順に配置されており、それぞれのインク吐出口群間は、各吐出口間のピッチよりも広い間隔になっている。
【００２９】またキャップ１を記録ヘッド１００にキャッピングしたときにはシアンインク吐出口群１１０Ｃと黒インク吐出口群１１０Ｋ間の面に共通の区画手段である遮断リブ６が密着するようになっており、イエロー、マゼンタ、シアンのインクの各吐出口群形成面はカラーインク吐出口用キャップ部分２ａで、黒インクの吐出口群形成面は黒インク吐出口用キャップ部分２ｂでそれぞれ独立して密閉される。」
　
　
（３）引用文献３
　原査定の拒絶の理由に引用され、本願出願前に頒布された刊行物である特開平１０−１１０６８６号公報（以下「引用文献３」という。）には、図示とともに以下に示す記載がある。
　
ア「【請求項１】 液体を流通可能な弾性を有するチューブと、周面に軸方向に延びる複数の突部を周方向に間隔をおいて有する回転体とを備え、チューブの一部を回転体の周面に接触させて回転体を回転させることにより、回転体の各突部でチューブ内の液体を所定方向に圧送するようにしたチューブポンプにおいて、前記チューブを複数設けるとともに、任意のチューブを前記回転体に接触させる案内手段を備えたことを特徴とするチューブポンプ。
【請求項２】　液体を流通可能な弾性を有するチューブと、周面に軸方向に延びる複数の突部を周方向に間隔をおいて有する回転体とを備え、チューブの一部を回転体の周面に接触させて回転体を回転させることにより、回転体の各突部でチューブ内の液体を所定方向に圧送するようにしたチューブポンプにおいて、前記チューブを回転体を間にして複数設けるとともに、前記回転体に対して相対的に移動することにより任意のチューブを回転体に接触させる複数の案内部材を備えたことを特徴とするチューブポンプ。」
　
イ「【０００３】　【発明が解決しようとする課題】ところで、前記チューブポンプを飲料自動販売機に用いる場合、飲料の原液は複数種類に及ぶため、原液の給送経路も原液の種類分だけ必要となる。このため、原液の各給送経路の個々にチューブポンプを設けなければならず、コストが高くつくとともに、ポンプの大型化を来すという問題点があった。
【０００４】本発明は前記問題点に鑑みてなされたものであり、その目的とするところは、複数の液体給送路に対し、ポンプの小型化及び低コスト化を図ることのできるチューブポンプを提供することにある。」
　
ウ「【００１５】このように、本実施形態のチューブポンプによれば、ロータ２を間にして配置された計２本のチューブ１を備え、ロータ２を一方のチューブ１側または他方のチューブ１側に移動させることにより、任意のチューブ１内の液体を給送することができるので、複数の液体給送路に対するポンプの小型化及び低コスト化を図ることができ、例えば飲料自動販売機の原液給送用に極めて有利である。
【００１６】尚、前記実施形態ではロータ２をスライド機構２ｃによって各ガイド板３側に移動させるようにしたが、ロータ２を固定して各ガイド板３を移動させるようにしてもよい。」
　
　
２−３−３．対比
　本願補正発明と引用発明１とを対比する。
（１）引用発明１の「黒色印刷用の第１の記録ヘッド７と、カラー印刷用の第２の記録ヘッド８」、「記録用紙６」、「ノズル」、「インクジェット式記録装置」、「第１、第２のキャップ部材３１、３２」、「第１、第２のチューブポンプ３７、３８」、「吸引力」、「カラーインク」、「黒色インク」、「チューブ３３、３４」、「ローラ８５、８５、８６、８６」、「駆動輪列７２、８１、８２、８３」及び「カバーケース７３、７４」は、それぞれ、本願補正発明の「複数のインクヘッド」、「記録用紙」、「インク吐出ノズル」、「インクジェットプリンタ」、「キャップ」、「吸引ポンプ」、「吸引力」、「カラーインク」、「黒インク」、「吸引用チューブ」、「チューブ圧迫ローラ」、「ロータ」及び「ガイド壁」に相当する。
（２）引用発明１の「インクジェットプリンタ（インクジェット式記録装置）」は、「ノズル開口を下方に向けた第１、第２のインクジェット式記録ヘッド７、８を２つ搭載した主走査方向に移動可能なキャリッジ１を備え、インクをノズルからインク滴として記録用紙６に吐出させて印刷データを記録する」ものであって、「前記キャリッジ１には記録用紙６にノズル開口を向けるようにして黒色印刷用の第１の記録ヘッド７と、カラー印刷用の第２の記録ヘッド８が搭載され、これら各記録ヘッド７、８の上部には黒色インクカートリッジ９と、カラーインクカートリッジ１０が着脱自在に搭載され、このような構成によりフレキシブルケーブル１１を介してヘッド駆動回路からの駆動信号を受けると、インクカートリッジ９、１０からインクが記録ヘッド７、８に流入して記録用紙６に黒色、及び有色のドットを形成する」ものであるから、「複数のインクヘッド」を有し、「複数のインクヘッド」を「記録用紙」に沿って移動させつつ、各「インクヘッド」から各々異なる色のインクを選択的に吐出させて「記録用紙」に付着させることにより、該「記録用紙」にカラー画像をプリントするものであるといえる。
　よって、引用発明１の「インクジェットプリンタ」と本願補正発明の「インクジェットプリンタ」とは、「複数のインクヘッドを有し、複数のインクヘッドを記録用紙に沿って移動させつつ、各インクヘッドから各々異なる色のインクを選択的に吐出させて該記録用紙に付着させることにより、該記録用紙にカラー画像をプリントする」ものである点で一致する。
（３）引用発明１において、「キャップ（第１、第２のキャップ部材３１、３２）」は、「インクヘッド」の「インク吐出ノズル」開口を封止するものであって、「インクヘッド」に弾接してこれを確実に密封するものであり、かつ、スライダ３０は、キャッピング時には「キャップ」を「インクヘッド」に弾接する位置にあり、非キャッピング時には、「インクヘッド」が各「キャップ」に接しない程度の間隔ｇを形成できるようになっているから、引用発明１の「キャップ」は、「インクヘッドのインク吐出ノズルを覆うようにしてインクヘッドに着脱可能に密着する」ものであるといえ、この点で本願補正発明の「キャップ」と一致する。
（４）引用発明１において、「インクヘッド」から「吸引用チューブ」がインクを吸い出す（吸引する）時「吸引ポンプ」で発生する「吸引力」は、「圧迫ローラ」が「吸引ポンプ」の一部を構成する「吸引用チューブ」を圧接しながら回動して発生するものであり、該「吸引用チューブ」の一端を「キャップ」の吸引口３１ａ、３２ａに接続して「キャップ」と廃インクタンクとを接続することにより、「キャップ」が「吸引ポンプ」からの「吸引力」を受けるようにされているから、引用発明１の「吸引力」は、「インク吐出ノズル」内に残留しているインクを廃インクタンクへ吸い出すための吸引力であり、「インクヘッド」に密着し「インク吐出ノズル」を覆う「キャップ」の内部空間にも「吸引用チューブ」の一端を接続した吸引口３１ａ、３２ａを介して及ぶものである。よって、引用発明１の「吸引ポンプ」と本願補正発明の「吸引ポンプ」とは、「インク吐出ノズル内に残留しているインクを吸い出すための吸引力をインクヘッドに密着したキャップの内部空間に発生させるための」ものである点で一致する。
（５）引用発明１において、「キャップ」は、黒色印刷用の第１の「インクヘッド」７からインクを吸引する第１の「キャップ」３１と、カラー印刷用の第２の「インクヘッド」８からインクを吸い出す第２の「キャップ」３２とに分かれているから、「キャップ」は、カラーインク用の吸引空間と黒インク用の吸引空間とを有しており、各吸引空間毎に、それぞれの吸引口３１ａ、３２ａに「吸引用チューブ」３３、「吸引用チューブ」３４が接続されて「吸引ポンプ」３７、「吸引ポンプ」３８  からの「吸引力」を別々に受けるようになっている。よって、引用発明１の「キャップ」３１、３２と本願補正発明の「キャップ」とは、「カラーインク用の吸引空間と黒インク用の吸引空間とを有し、各吸引空間毎に、吸引ポンプの吸引部から延びる各々別々の吸引用チューブを接続し」たものである点で一致する。
（６）引用発明１において、「吸引用チューブ」３３、３４は、その外側をほぼ円形状となるように「ガイド壁」により覆われ、「ロータ」の長溝９０、９０に移動自在に遊嵌された２つの「チューブ圧迫ローラ」により弾圧されるように前記「ロータ」の回転方向に沿って配置され、紙送り兼ポンプモータ２４が逆転したときには「チューブ圧迫ローラ（ローラ８５、８５）」の軸８５ａが長溝９０、９０に沿って外周側に移動し、これにより「チューブ圧迫ローラ（ローラ８５、８５）」が「吸引用チューブ」３３を圧接しながら回動して吸引力を発生し、第１の「キャップ」３１が第１の「インクヘッド」７からインクを吸引し、前記モータ２４が正転すると前記「チューブ圧迫ローラ（ローラ８６、８６）」が外周側に移動して前記「吸引用チューブ」３４を弾圧しながら回動して吸引力を発生し、第２の「キャップ」３２が第２の「インクヘッド」８からインクを吸い出すようになっていて、モータ２４の逆転時には第１の「吸引ポンプ」３７だけが吸引動作を、また正転時には第２の「吸引ポンプ」３８だけが吸引動作を行うようになっている。そして、前記「ロータ」はその外周部に「チューブ圧迫ローラ」を軸支して回転するものであり、前記「ガイド壁」は該「ロータ」を包囲するほぼ円筒形状のものであり、該「ロータ」と前記「ガイド壁」との間に、「カラーインク用の吸引用チューブ」といえる、カラー印刷用の第２の「インクヘッド」８からインクを吸い出す第２の「キャップ」３２の吸引口３２ａの一端に接続された「吸引用チューブ」３４及び「黒インク用の吸引用チューブ」といえる、黒色印刷用の第１の「インクヘッド」７からインクを吸い出す第１の「キャップ」３１の吸引口３１ａの一端に接続された「吸引用チューブ」３３を、該「ロータ」の回転方向に沿って挿通したものであり、第１及び第２の「吸引ポンプ」３７、３８は、「チューブ圧迫ローラ」と「ガイド壁」との間で、それぞれ、「黒インク用の吸引用チューブ」及び「カラーインク用の吸引用チューブ」を圧迫しながら該「ロータ」を回転させることにより両チューブによる吸引動作を実現するチューブポンプであるといえる。
　よって、引用発明１は、本願補正発明の「吸引ポンプは、前記カラーインク用の吸引空間に接続された吸引用チューブによる吸引動作と、前記黒インク用の吸引空間に接続された吸引用チューブによる吸引動作とを別々に行」うとの事項及び「吸引ポンプは、外周部にチューブ圧迫ローラを軸支して回転するロータとこれを包囲する略円筒形状のガイド壁との間に、前記カラーインク用の吸引用チューブおよび前記黒インク用の吸引用チューブを該ロータの回転方向に沿わせて挿通し、該チューブ圧迫ローラと該ガイド壁間で前記カラーインク用の吸引用チューブおよび前記黒インク用の吸引用チューブを圧迫しながら該ロータを回転させることにより両チューブによる吸引動作を実現するチューブポンプ」との事項を備えている。
（７）上記（１）ないし（６）から、本願補正発明と引用発明１とは、
「複数のインクヘッドを有し、複数のインクヘッドを記録用紙に沿って移動させつつ、各インクヘッドから各々異なる色のインクを選択的に吐出させて記録用紙に付着させることにより、該記録用紙にカラー画像をプリントするインクジェットプリンタであって、
　前記インクヘッドのインク吐出ノズルを覆うようにして前記インクヘッドに着脱可能に密着するキャップと、
　前記インク吐出ノズル内に残留しているインクを吸い出すための吸引力を前記インクヘッドに密着した前記キャップの内部空間に発生させるための吸引ポンプとを備え、
　カラーインク用の吸引空間と黒インク用の吸引空間とを有し、各吸引空間毎に、前記吸引ポンプの吸引部から伸びる吸引用チューブを接続し、
　前記吸引ポンプは、前記カラーインク用の吸引空間に接続された吸引用チューブによる吸引動作と、前記黒インク用の吸引空間に接続された吸引用チューブによる吸引動作とを別々に行い、
　前記吸引ポンプは、外周部にチューブ圧迫ローラを軸支して回転するロータとこれを包囲する略円筒形状のガイド壁との間に、前記カラーインク用の吸引用チューブおよび前記黒インク用の吸引用チューブを該ロータの回転方向に沿わせて挿通し、該チューブ圧迫ローラと該ガイド壁間で前記カラーインク用の吸引用チューブおよび前記黒インク用の吸引用チューブを圧迫しながら該ロータを回転させることにより両チューブによる吸引動作を実現するチューブポンプである、
　インクジェットプリンタ。」の点で一致し、次の点で相違する。
　
相違点１：
　本願補正発明は、複数のインクヘッドは、インクヘッドユニットが有しており、これに対応して、インクヘッドの移動は、インクヘッドユニットの移動によりなされ、キャップは、インクヘッドユニットの全インク吐出ノズルを一括して覆い、インクヘッドユニットに密着し、その内部空間をカラーインク用の吸引空間と黒インク用の吸引空間に区画するものであるのに対し、引用発明１は、複数のインクヘッドはユニットになっておらず、インクヘッドの移動はキャリッジの移動によりなされ、キャップは、インクヘッド毎に別々のものであるからその内部空間である吸引空間も各キャップ毎に別々のものとなっている点。
　
相違点２：
　本願補正発明は、ロータが、その回転軸方向に沿って移動可能に構成され、前記ロータの前記回転軸方向への移動により、チューブ圧迫ローラも前記ロータの前記回転軸方向に沿って移動可能に構成され、前記チューブ圧迫ローラには、吸引用チューブを圧接する圧接領域と、一方の吸引用チューブが該圧接領域にて圧接されている状態の時にもう一方の吸引用チューブを圧接しない非圧接領域とが、前記ロータの前記回転軸方向に沿って形成されており、前記チューブ圧迫ローラは、前記非圧接領域を前記圧接領域よりも縮径して形成されているものであるのに対し、引用発明１は、そのようになっていない点。
　
　
２−３−４．判断
　相違点１及び２について検討する。
（１）相違点１について
　ア　上記「２−３−２．（２）」のアないしエからみて、引用文献２には、「不吐出や吐出方向の偏向を未然に防止して吐出口からのインクの吐出状態を維持し安定させるために吐出回復系を備え、
　カラー化のためにイエロー、マゼンタ、シアン、黒の４色のインクを使用するインクジェット記録装置において、
　各インク毎に独立したヘッドを有し、それぞれに対してキャップやチューブポンプが構成すると、非常に大がかりなものになり、各キャップと各ヘッドの位置関係に精度上のばらつきが生じるため、各キャップと各ヘッドを当接させたときに密着性が優れないという問題があるため、ヘッドの形態として、同一ヘッド内にイエロー、マゼンタ、シアン、黒の吐出口群を成形したヘッドとし、各色吐出口群間の位置合わせが不要となり、ノズルピッチの精度も高いため、高品位な記録を行うことができるようになし、
　このようなヘッドにおいて、ヘッド毎に独立したキャップを対応させて密着させようとしても各色吐出口群間の距離が短いため、各色吐出口群間に２つのキャップの外壁を同時に密着させることは困難であり、十分なインク吸引動作を行うことができないので、キャップ及びその他の吐出回復のための構成を共通化し、共通化に伴い生じる、廃インク量が増大し、インクの無駄が多くなり、廃インクタンクも大型のものが必要となるという第１の問題と、インクの吸引に伴い、吐出口から排出されてヘッドの吐出口周辺に付着したインクが拡散し、黒色等の濃度の高い色のインクとイエロ−等の濃度の低いインクとが混ざりあい、混ざりあったインクがたとえば濃度の低いイエロ−インクを吐出する吐出口内に混入するという第２の問題とを解決して、記録ヘッドのインク吐出口からのインクの吐出状態を維持するためにインク排出操作を行う装置の小型化を実現するとともに、インク排出操作に際し、インクの無駄をなくし、吐出口におけるインクの混色を防止するため、
　記録ヘッドのインク吐出口群を、上方から、イエローインク吐出口群、マゼンタインク吐出口群、シアンインク吐出口群、黒インク吐出口群の順に配置し、それぞれのインク吐出口群間は、各吐出口間のピッチよりも広い間隔をなし、キャップを記録ヘッドにキャッピングしたときにはシアンインク吐出口群と黒インク吐出口群間の面に共通の区画手段である遮断リブが密着するようになし、イエロー、マゼンタ、シアンのインクの各吐出口群形成面はカラーインク吐出口用キャップ部分で、黒インクの吐出口群形成面は黒インク吐出口用キャップ部分でそれぞれ独立して密閉されるようにしたインクジェット記録装置。」の発明（以下「引用発明２」という。）が記載されているものと認められる。
　イ　引用発明１の「インクジェットプリンタ」は、黒色印刷用の第１の記録ヘッド７と、カラー印刷用の第２のインクヘッド８とをキャリッジ１に搭載したものであるから、同一ヘッド内にイエロー、マゼンタ、シアン、黒の吐出群を成形したヘッドと比較すると、各インク毎に独立したヘッドを有するものと同様に、非常に大がかりなものになり、かつ、各キャップと各ヘッドの位置関係に精度上のばらつきが生じるため、各キャップと各ヘッドを当接させたときに密着性が優れないという課題を内在しているものである。よって、引用発明１において、上記課題を解決するために、ヘッドの形態として、同一ヘッド内に黒色印刷用とカラー印刷用の吐出口群を成形したものを採用して、各色吐出口群間の位置合わせが不要となり、ノズルピッチの精度も高いため、高品位な記録を行うことができるようになし、上記ヘッドの形態を採用したことに伴い、キャップ及びその他の吐出回復のための構成を共通化し、共通化に伴い生じる、廃インク量が増大し、インクの無駄が多くなり、廃インクタンクも大型のものが必要となるという第１の問題と、インクの吸引に伴い、吐出口から排出されてヘッドの吐出口周辺に付着したインクが拡散し、黒色等の濃度の高い色のインクとイエロ−等の濃度の低いインクとが混ざりあい、混ざりあったインクがたとえば濃度の低いイエロ−インクを吐出する吐出口内に混入するという第２の問題とを解決して、記録ヘッドのインク吐出口からのインクの吐出状態を維持するためにインク排出操作を行う装置の小型化を実現するとともに、インク排出操作に際し、インクの無駄をなくし、吐出口におけるインクの混色を防止するため、記録ヘッドのインク吐出口群を、上方から、カラー印刷用の吐出口群、黒色印刷用の吐出口群の順に配置した構成、すなわち「ヘッドユニット」となし、それぞれのインク吐出口群間は、各吐出口間のピッチよりも広い間隔をなし、キャップを記録ヘッドにキャッピングしたときにはカラー印刷用の吐出口群と黒色印刷用の吐出口群間の面に共通の区画手段である遮断リブが密着するようになし、カラー印刷用の各吐出口群形成面はカラーインク吐出口用キャップ部分で、黒色印刷用の吐出口群形成面は黒インク吐出口用キャップ部分でそれぞれ独立して密閉されるようにすることは、当業者が引用発明２に基づいて容易に想到することができたものである。
　ウ　上記イで述べた、カラー印刷用の吐出口群、黒色印刷用の吐出口群の順に配置した構成であるヘッドユニットは、カラー印刷用のインクヘッドと黒色印刷用のインクヘッドとを有したヘッドユニットといえ、引用発明１において、記録ヘッドを上記イのようにヘッドユニットとなしたものは、インクヘッドユニットを移動させつつ各インクヘッドからインクを吐出するものとなる。また、上記イで述べた「キャップを記録ヘッドにキャッピングしたときにはカラー印刷用の吐出口群と黒色印刷用の吐出口群間の面に共通の区画手段である遮断リブが密着するようになし、カラー印刷用の各吐出口群形成面はカラーインク吐出口用キャップ部分で、黒色印刷用の吐出口群形成面は黒インク吐出口用キャップ部分でそれぞれ独立して密閉されるようにする」点において、「共通の区画手段である遮断リブ」は「キャップ」の内部空間を区画することは明らかであり、上記イで述べた「キャップ」は、インクヘッドユニットの全インク吐出ノズルを一括して覆い、インクヘッドユニットに密着し、その内部空間を区画するものであるといえる。
　エ　よって、引用発明１において、上記相違点１に係る本願補正発明の構成となすことは、引用発明２に基づいて、当業者が容易に想到することができたものである。
　
（２）相違点２について
　ア　上記「２−３−２．（３）」のアないしウからみて、引用文献３には、「液体を流通可能な弾性を有するチューブと、周面に軸方向に延びる複数の突部を周方向に間隔をおいて有する回転体とを備え、チューブの一部を回転体の周面に接触させて回転体を回転させることにより、回転体の各突部でチューブ内の液体を所定方向に圧送するようにしたチューブポンプにおいて、
　原液の各給送経路の個々にチューブポンプを設けなければならず、コストが高くつくとともに、ポンプの大型化を来すという問題点を解決し、複数の液体給送路に対するポンプの小型化及び低コスト化を図ることのできるチューブポンプを提供するため、
　前記チューブを複数設けるとともに、任意のチューブを前記回転体に接触させる案内手段として、前記回転体に対して相対的に移動することにより任意のチューブを回転体に接触させる複数の案内部材を備え、前記回転体をスライド機構によって各案内部材側に移動させるようにしたチューブポンプ。」の発明（以下「引用発明３」という。）が記載されていると認められる。
　イ　引用発明１の「ロータ」は、「回転軸７７の両端に固定された駆動輪列７２、８１」及び「回転軸７８の両端に固定された駆動輪列８２、８３」の「２個」であり、引用発明１の「カラーインク用の吸引用チューブ」及び「黒インク用の吸引用チューブ」の個数である「２個」と同数設けられたものであるから、引用発明３に比較すると、コストが高くつくとともに、ポンプの大型化を来すという問題点を内在するものであることは、当業者には明らかである。したがって、引用発明１に、その「ロータ」の個数を減らして、複数の液体給送路に対するポンプの小型化及び低コスト化を図る目的で、引用発明３を採用することには、十分な動機付けがあるといえる。
　ウ　よって、引用発明１において、上記イで述べたように、「ロータ」の個数を減らして１個とした上で、「カラーインク用の吸引用チューブ」及び「黒インク用の吸引用チューブ」のうちの任意のチューブを前記「ロータ（引用発明３の「回転体」に相当する。）」に接触させる「ガイド壁（引用発明３の「案内手段」に相当する。）」を、前記「ロータ」に対して相対的に移動することにより任意のチューブを前記「ロータ」に接触させる複数のものとし、前記「ロータ」を各「ガイド壁」側に移動させるスライド機構を設けることは、当業者が引用発明３に基づいて容易に想到することができたものである。
 エ　引用発明１の「２個のガイド壁（カバーケース７３、７４）」は、それぞれ、「２個のロータ（回転軸７７の両端に固定された駆動輪列７２、８１及び回転軸７８の両端に固定された駆動輪列８２、８３）」の回転方向に沿って配置された「カラーインク用の吸引用チューブ」及び「黒色インク用の吸引用チューブ」の外側をほぼ円形状となるように覆うものであるから、２個の「吸引用チューブ」と同様に、「２個のロータ」の回転軸方向に並んで配置されているものである。よって、上記ウのように、「ロータ」を１個とした上で、「ロータ」を各「ガイド壁」側に移動させるスライド機構を設ける際には、「ロータ」を該「ロータ」の回転軸方向に沿って移動させることは、当業者に自明である。
　また、引用発明１の２組の「チューブ圧迫ローラ（ローラ８５、８５及びローラ８６、８６）」は、それぞれ、対応する「ロータ（「回転軸７７の両端に固定された駆動輪列７２、８１」又は「回転軸７８の両端に固定された駆動輪列８２、８３」）」に軸支されているものであるから、上記ウのように、「ロータ」を１個にすれば同時に、「チューブ圧迫ローラ」も対応する１組となり、「ロータ」を該「ロータ」の回転軸方向に沿って移動可能にすれば同時に、「チューブ圧迫ローラ」も、「ロータ」の回転軸方向への移動により、「ロータ」の回転軸方向に沿って移動可能になるものである。
　さらに、引用発明３は、回転体と案内部材とを相対的に移動させることにより任意のチューブを回転体に接触させ、回転体の各突部でチューブ内の液体を所定方向に圧送するものであるから、引用発明３に基づいて、引用発明１の「ロータ」を１個とし、各「ガイド壁」側に移動させるようにする際には、１組とした「チューブ圧迫ローラ（引用発明３の「突起」に相当する。）」は、「カラーインク用の吸引用チューブ」及び「黒インク用の吸引用チューブ」のうちの一方の吸引用チューブのみ圧接し、もう一方の「吸引用チューブ」は同時に圧接しないようにしなければならないことは、「任意のチューブを回転体に接触させる」ことから、当業者に自明である。そして、ロータとチューブ圧迫ローラを使用するポンプチューブという技術分野において、「チューブ圧迫ローラ」に、吸引用チューブを圧接する圧接領域と、吸引用チューブを圧接しない非圧接領域を「ロータ」の回転軸方向に沿って形成し、前記非圧接領域を前記圧接領域よりも縮径して設ける構成は、実願昭４９−７６９５７号（実開昭５１−５７０５号）のマイクロフィルム（特に実用新案登録請求の範囲，４ページ１６行〜６ページ１行及び第３〜４図参照。）、実願平１−１６６２１号（実開平２−１０７７７８号）のマイクロフィルム（特に１１ページ１０〜１４行，１５ページ１２行〜１６ページ２行，第３図及び第６図参照。），特開平１１−１９３７８５号公報（特に段落【００１０】〜【００１１】，【００１８】〜【００２０】，図１及び図６参照。）等に記載されているように周知のものであるから、１個の「ロータ」を該「ロータ」の回転軸方向に沿って移動可能にして、該「ロータ」に軸支された「チューブ圧迫ローラ」を、一方の吸引用チューブに圧接している状態の時にもう一方の吸引用チューブに接触しないという、上記自明の構成とする際に、上記周知技術である、吸引用チューブを圧接する圧接領域と、吸引用チューブを圧接しない非圧接領域をロータの回転軸方向に沿って形成し、前記非圧接領域を前記圧接領域よりも縮径して設ける構成とすることは、当業者が適宜なしえた設計事項に過ぎず、また、それによる効果も、当業者が上記周知技術の効果から、予測することができた程度のものに過ぎない。
　オ　上記アないしエを総合すると、引用発明１において、前記ロータを、その回転軸方向に沿って移動可能に構成し、前記ロータの前記回転軸方向への移動により、チューブ圧迫ローラも、前記ロータの前記回転軸方向に沿って移動可能に構成し、前記チューブ圧迫ローラに、吸引用チューブを圧接する圧接領域と、一方の吸引用チューブが該圧接領域にて圧接されている状態の時にもう一方の吸引用チューブを圧接しない非圧接領域とを形成し、前記チューブ圧迫ローラは、前記非圧接領域を前記圧接領域よりも縮径して形成したものとすること、すなわち、引用発明１において、上記相違点２に係る本願補正発明の構成となすことは、当業者が引用発明３に基づいて容易になし得た程度のことである。
　
（３）小括
　上記のとおりであるから、引用発明１において、相違点１及び相違点２に係る本願補正発明の構成となすことは、引用発明２及び引用発明３に基づいて当業者が容易になし得たものであり、本願補正発明の奏する効果も、当業者が引用発明１ないし３がそれぞれ奏する効果及び上記周知技術が奏する効果から、予測することができた程度のものに過ぎない。
　よって、本願補正発明は、当業者が引用文献１ないし３記載された発明に基づいて容易に発明をすることができたものである。
　
　
２−３−５．独立特許要件についてのまとめ
　本願補正発明は、当業者が引用文献１ないし３に記載された発明に基づいて容易に発明をすることができたものであるから、特許法第２９条第２項の規定により特許出願の際独立して特許を受けることができないものである。
　
　
２−４．補正却下の決定のむすび
　上記「２−２．（２）ウ」のとおり、補正内容カ及びキは、平成１４年法律第２４号改正附則第２条第１項によりなお従前の例によるとされる同法による改正前の特許法第１７条の２第４項各号に掲げられたいずれの事項をも目的とするものではないから、本件補正は、同法第１７条の２第４項の規定に違反するものである。
　また、上記「２−３−４．」のとおり、本願補正発明は、特許法第２９条第２項の規定により特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するものである。
　
　したがって、本件補正は、同法第１５９条第１項で読み替えて準用する同法第５３条第１項の規定により却下すべきものである。
　
　
　
３．本願発明について
３−１．本願発明
　本件補正は上記のとおり却下されたため、本願の請求項１ないし８に記載された発明は、平成１８年２月２３日付けで手続補正された明細書及び図面の記載からみて、その特許請求の範囲の請求項１ないし８に記載されたとおりのものと認められるところ、請求項２に係る発明（以下「本願発明」という。）は上記「２−１．（１）ア」で請求項２として記載したとおりである。
　
　
３−２．引用文献
　原査定の拒絶の理由で引用された引用文献及びその記載事項は、上記「２−３−２．引用文献」に記載したとおりである。
　
　
３−３．対比・判断
　本願発明は、上記「２−３．」で検討した本願補正発明から、発明を特定するために必要な事項である「ロータ」について「前記ロータは、回転軸方向に沿って移動可能に構成され」るとの限定を省くとともに、「前記ロータの前記回転軸方向への移動により、前記チューブ圧迫ローラも前記ロータの前記回転軸方向に沿って移動可能に構成され」について「前記ロータの前記回転軸方向への移動により、」との限定を省いて「前記チューブ圧迫ローラは、前記ロータの回転軸方向に沿って移動可能に構成され」としたものに相当する。
　そうすると、本願発明の構成要件を全て含み、さらに他の構成要件を付加したものに相当する本願補正発明が、上記「２−３．」に記載したとおり、当業者が引用文献１ないし３に記載された発明に基づいて容易に発明をすることができたものであるから、本願発明も同様の理由により、引用文献１ないし３に記載された発明に基づいて、当業者が容易に発明をすることができたものである。
　
　
３−４．むすび
　以上のとおり、本願発明は、当業者が引用文献１ないし３に記載された発明に基づいて容易に発明をすることができたものであるから、特許法第２９条第２項の規定により特許を受けることができない。
　したがって、その余の請求項について論及するまでもなく、本願は、拒絶すべきものである。
　
　よって、結論のとおり審決する。